(57)【要約】      （修正有）【課題】取り付ける装飾体の自由度が高く、装着や脱着が簡単で、かつ靴下を装着したときの違和感がない飾り付き靴下を提供する。【解決手段】飾り留具付靴下１０は、靴下本体と、該靴下本体の表面に固設され、装飾体が固装された掛止部材を着脱自在に係着する少なくとも一つの飾り留具１と、を有する。上記飾り留具は、金属又はプラスチックのリング１ａであって、該リングが縫着され又は編み込まれ、あるいは該リングを跨ぐ帯状部材が接着され又は融着されることも、所定の長さの紐の両端を縫着し、接着し、若しくは融着することにより上記靴下本体の表面に固設されることも、上記掛止部材と係着する雌雄の係着部材のうちの何れか一方であって、該係着部材のうちの何れか一方が縫着され、又は圧着されることにより上記靴下本体の表面に固設されることも好ましい。【選択図】図６
0003174296.tif 000002
【実用新案登録請求の範囲】
【請求項１】
靴下本体と、該靴下本体の表面に固設され、装飾体に固装された掛止部材が着脱自在に係着される少なくとも一つの飾り留具と、を有することを特徴とする飾り留具付靴下。
【請求項２】
前記飾り留具は、金属又はプラスチックのリングであって、前記靴下本体の表面に縫着され又は編み込まれたものであることを特徴とする請求項１記載の飾り留具付靴下。
【請求項３】
前記飾り留具は、金属又はプラスチックのリングであって、該リングを跨ぐ帯状部材により前記靴下本体の表面に逢着され、接着され若しくは融着されたものであることを特徴とする請求項１記載の飾り留具付靴下。
【請求項４】
前記飾り留具は、所定の長さの紐の両端を前記靴下本体の表面に縫着され、接着され、若しくは融着されたものであることを特徴とする請求項１記載の飾り留具付靴下。
【請求項５】
前記掛止部材は、互いに係着する一対の部材のうちの第一の部材であり、
前記飾り留具は、前記掛止部材と係着する該一対の部材のうちの第二の部材であって、前記靴下本体の表面に縫着され、接着され若しくは圧着されたものであることを特徴とする請求項１記載の飾り留具付靴下。
【請求項６】
前記飾り留具は、前記靴下本体のゴム編み部分の周囲に固設されることを特徴とする請求項１から５のうちの何れか１項記載の飾り留具付靴下の。
【請求項７】
前記飾り留具は、前記靴下本体のメリヤス編み部分の周囲に固設されることを特徴とする請求項１から５のうちの何れか１項記載の飾り留具付靴下の製造方法。
【考案の詳細な説明】
【技術分野】
【０００１】
本考案は、装飾具を着脱自在に取り付けることが可能な飾り留具付きの靴下に関するものである。
【背景技術】
【０００２】
従来から、靴下には、刺繍や染色によるワンポイント装飾を施すことが行われている。しかし、刺繍や染色による装飾は、同じものを一度に多量に製造するときには適するが、多様な価値観を持ち、他人と異なる装飾を施すことで個性を主張したい人には物足りない。一方、少量多品種生産を行うにはコストがかさむ上、複雑な装飾は施せないので、それらの層の関心を集めることは難しい。そこで、豪華な装飾を施したワッペン状の装飾具を、靴下の胴部に接着剤又は熱融着で取り付ける方法が提案されている（特許文献１参照）。
しかし、接着剤又は熱融着で取り付ける方法は、装飾具を着脱することができないので、同じ装飾の施された靴下を絶えず着用することになるうえ、靴下が破れたときには装飾材も廃棄しなければならない。
そこで、装飾具に取り付けられる凸状フックを有する締結部材と、ソックスや手袋などの被固着体に刺した凸状フックに嵌合させ、被固着体を挟持する固定部材とを備えた装飾用付属品及びその装飾用付属品を備えた靴下（特許文献２参照）、あるいは装飾部材がらせん状の留め具の基端に装着された装飾体であって、留め具先端を靴下の表面にねじ込むことにより、靴下に装飾体を固定する装飾体付靴下（特許文献３参照）が提案されている。
【先行技術文献】
【特許文献】
【０００３】
【特許文献１】特開平８−１８８９０１号公報
【特許文献２】実開平１−１６１２０４号公報
【特許文献３】実用新案登録第３１１４６２１号公報
【考案の概要】
【考案が解決しようとする課題】
【０００４】
しかしながら、特許文献２及び特許文献３で提案されている装飾体付靴下は、装飾体を靴下に着脱自在に装着可能とするため、締結部材やらせん状留め具を靴下裏面側に貫通させる必要が有るので、それらが足のすね等に当たり、多少なりとも違和感を生じる恐れがある。また、それら締結部材やらせん状留め具との関係で装飾体の自由度が限定される上、靴下への装着や脱着が煩わしい。
本考案は、かかる事情に鑑みなされたものであり、取り付ける装飾体の自由度が高く、装着や脱着が簡単で、かつ靴下を装着したときの違和感がほとんどない飾り留具付靴下を提供することを目的とする。
【課題を解決するための手段】
【０００５】
本考案の飾り留具付靴下は、靴下本体と、該靴下本体の表面に固設され、装飾体に固装された掛止部材が着脱自在に係着される少なくとも一つの飾り留具と、を有することを特徴とする。
このように、靴下本体表面に飾り留具を固設すれば、フックのついた装飾具を靴下に簡便に装着することや、脱着することができるので、色々な装飾具を備えれば、時・所・場合に応じて足元を飾ることができる。
ここで、上記飾り留具は、金属又はプラスチックのリングであって、上記靴下本体の表面に縫着され又は編み込まれたものであることが好ましく、また上記飾り留具は、金属又はプラスチックのリングであって、該リングを跨ぐ帯状部材により上記靴下本体の表面に逢着され、接着され若しくは融着されたものであることも好ましく、さらに上記飾り留具は、所定の長さの紐の両端を上記靴下本体の表面に縫着され、接着され、若しくは融着されたものであることも好ましい。
このように、金属又はプラスチックのリングを縫着したり、編み込んだり、あるいはリングを跨ぐ帯状部材で逢着したり、接着したり、あるいは融着したりすれば靴下に簡便に取り付けることができる。また、所定の長さの紐の両端を縫着し、接着し、若しくは融着して環状に形成すれば、靴下に取り付けるのが簡便であるほか、靴下をはいたときに違和感が全くない。
【０００６】
さらに、上記掛止部材は、互いに係着する一対の部材のうちの第一の部材であり、上記飾り留具は、上記掛止部材と係着する該一対の部材のうちの第二の部材であって、上記靴下本体の表面に縫着され、接着され若しくは圧着されたものであることも好ましい。
このように、飾りに装着する掛止部材と雌雄の関係にあり、互いに係着する飾り留具を縫着、接着又は圧着することにすれば、靴下に取り付けるのが簡便で、かつ靴下をはいたときに違和感がない。
また、上記飾り留具は、上記靴下本体のゴム編み部分の周囲に固設されることも、上記飾り留具は、上記靴下本体のメリヤス編み部分の周囲に固設されることも好ましい。
【考案の効果】
【０００７】
本考案の飾り留具付靴下は、靴下に一個乃至複数個の飾り留具が固定されているので、フックを備えた装飾具であればその飾り留具に簡単に取り付けたり、取り外したりすることができるので、時・所・場合に応じて、好のみの装飾具で足を飾ることができる。
【図面の簡単な説明】
【０００８】
【図１】図１は、第一の実施形態の飾り留具付靴下の一例を示す正面図である。
【図２】図２は、第一の実施形態の飾り留具付靴下の一例を示す側面図である。
【図３】図３は、第一の実施形態の飾り留具付靴下の他の例を示す図である。
【図４】図４は、第一の実施形態の飾り留具に係着する装飾具の一例を示す図である。
【図５】図５は、装飾具を係合するリング付きのフックの例を示す図である。
【図６】図６は、第一の実施形態の飾り留具付靴下に装飾具を固装した例を示す図である。
【図７】図７は、第一の実施形態の飾り留具付靴下に係着する装飾具の例を示す図である。
【図８】図８は、第一の実施形態の飾り留具付靴下に装飾具を固装した他の例を示す図である。
【図９】図９は、第二の実施形態の飾り留具付靴下を示す図である。
【図１０】図１０は、第三の実施形態の飾り留具付靴下の一例を示す正面図である。
【図１１】図１１は、第三の実施形態の飾り留具付靴下の一例を示す側面図である。
【図１２】図１２は、第三の実施形態の飾り留具付靴下の一例を示す裏面図である。
【図１３】図１３は、第三の実施形態の飾り留具付靴下に係着する装飾具の表面を示す図である。し、図１４は、装飾具の裏面を示す。
【図１４】図１４は、第三の実施形態の飾り留具付靴下に係着する装飾具の裏面を示す図である。
【図１５】図１５は、第三の実施形態の飾り留具付靴下に装飾具を固装した例を示す図である。
【考案を実施するための形態】
【０００９】
以下に、本考案の実施形態について説明する。
［第一の実施形態］
図１及び図２は、第一の実施形態の飾り留具付靴下の一例を示す図で、図１は、正面を示す図であり、図２は、側面を示す図である。
図１及び図２に一例を示す飾り留具付靴下１０は、４個の小リング１ａからなる飾り留具１が、靴下本体２のゴム編み部分３の表面に糸で縫着され、固定されている。なお、本実施形態における小リング１ａは、上部を糸で縫着して固定しているが、側部を固定することにしてもよい。
ここで、小リング１ａは、ステンレス、アルミ二ウム、真鍮などの細い棒状体、又はその棒状体にメッキを施したものを折り曲げて成形した金属製のリング、あるいはＡＢＳ樹脂、メタクリル樹脂、ポリカーボネートなどの熱可塑性樹脂、あるいはフェノール樹脂、メラミン樹脂、不飽和ポリエステル樹脂、シリコン樹脂などの熱硬化性樹脂を成形したプラスチック製のリング、若しくは木製のリングなどが用いられる。また、本実施形態の小リング１ａは、靴下本体２の表面に糸で縫着しているが、靴下本体２を編む過程で、靴下本体２に編み込んでもよい。
なお、本実施形態の飾り留具１は、飾り留具付靴下１０を着用した際に脛の前後、左右に小リング１ａが配置されるよう靴下本体２のゴム編み部分３の表面４か所に、各１個、小リング１ａが配置されているが、小リング１ａは４個である必要はなく、１か所に、１個だけ配置されたものであってもよいし、ゴム編み部分３の周囲に均等に、あるいは任意の間隔を開けて複数個配置されたものであってもよい。さらに、飾り留具１を靴下本体２に固定する位置は、必ずしも靴下本体２のゴム編み部分３に限定する必要はなく、それよりも足側に近いメリヤス編み部分５に固定してもよい。また、靴下本体２は、足形をなす部分を設けず袋状に形成されているが、靴下本体３２は、必ずしもこの形態に限定されない。
【００１０】
図３は、第一の実施形態の飾り留具付靴下の他の例を示す図である。
図３に他の例を示す飾り留具付靴下１０は、小リング１ａからなる飾り留具１が３個、各小リング１ａと交差する方向に配設された布や紐などからなる帯状部材６で、靴下本体２のゴム編み部分３の表面に逢着することにより固定されている。
各小リング１ａは、図１で説明したのと同様に、金属製のもの、又はプラスチック製もの、若しくは木製のものを用いる。帯状部材６は、靴下本体２が完成した後に、両端を靴下本体２に接着剤で接着してもよいし、熱を加えて融着してもよい。あるいは、両端をゴム編み部分３に糸で縫着してもよい。なお、帯状部材６には、リボンを含み、逢着され、接着され、若しくは融着された部分を除く、残余の先端部分で、蝶結び等を形成してもよい。
【００１１】
図４は、第一の実施形態の飾り留具に係着する装飾具の一例を示す図であり、図５は、装飾具を係合するリング付きフックの例を示す図であり、図６は、第一の実施形態の飾り留具付靴下に装飾具を固装した例を示す図である。
図４に例示する、装飾具７は、十字架の形をした装飾体７ａと、装飾体７ａに係合された鎖７ｂと、鎖７ｂに係止されたフック（本発明の掛止部材に相当する。）８と、で構成されている。図５に例示するフック８は、円形掛止部８ａと、環状部８ｂとにより構成され、円形掛止部８ａは、一部が切欠いた状態に形成され、その一部は、ばねで付勢された摺動部材８ｃによって、円形掛止部８ａを閉じ、手で操作したときにだけ開くように構成されている。飾り留具付靴下１０に装飾具７を装着するときは、フック８の円形掛止部８ａを手で開いて、飾り留具１の小リング１ａに掛止し、手を離すことで円形掛止部８ａを係着させ、飾り留具付靴下１０から装飾具７を外すときは、手でフック８の円形掛止部８ａを開き、飾り留具１からフック８を取り外すことができる。
図６に例示する飾り留具付靴下１０は、４個の小リング１ａからなる飾り留具１が固定され、各小リング１ａには、図５に示したフック８により、図４に示した装飾具７が、１個ずつ係着されている。
【００１２】
図７は、第一の実施形態の飾り留具付靴下に係着する装飾具の他の例を示す図であり、図８は、第一の実施形態の飾り留具付靴下に装飾具を固装した他の例を示す図である。
図７に例示する装飾具７は、両端に雄ねじが刻まれた第一部品７ｂ１と、両端に雌ねじが刻まれた第二部品７ｂ２とからなり、第一部品７ｂ１と第二部品７ｂ２とを交互に螺接して形成された一本の鎖７ｂであり、鎖７ｂの両端を螺接することにより、リング状にすることができる。
図８に例示する飾り留具付靴下１０は、ゴム編み部分３の周囲に８個の小リング１ａからなる飾り留具１が固定され、各小リング１ａには、図５に例示したフック８が係着されている。各フック８は、小リング１ａに係着される円形掛止部８ａと、環状部８ｂと、により構成されているので、図７に例示した一本の鎖７ｂからなる装飾具７は、各環状部８ｂに挿通され、両端で螺接されている。
ここで、本実施形態の装飾具７は、一本の鎖７ｂだけで構成されているが、環状部８ｂ相互間における垂れ下がった鎖７ｂに、例えば図４に例示した十字架の形をした装飾体７ａを取り付けてもよい。
【００１３】
［第二の実施形態］
図９は、第二の実施形態の飾り留具付靴下を示す図である。
図９に示す第二の実施形態の飾り留具付靴下２０は、所定の長さの紐の両端を靴下本体２２の表面に糸で縫着した紐リング２１ａを飾り留具２１としたものである。紐リング２１ａは、靴下本体２２の長手方向に固設してもよいし、飾り留具付靴下２０の挿入口と平行するように固設してもよい。
本実施形態の飾り留具付靴下２０に装飾具７を飾る場合には、図６及び図８に例示したのと同様に、装飾具７のフック８で、紐リング２１ａに係着する。
ここで、本実施形態の飾り留具２１の紐リング２１ａを形成する紐は、靴下本体２２に糸で縫着されているが、接着剤で接着しても、熱を加えて融着してもよい。また、紐リング２１ａの数は、任意に選択することができる。さらに、紐リング２１ａの固定位置は、靴下本体２２のゴム編み部分２３であっても、メリヤス編み部分２５であってもよい。
また、靴下本体２は、足形をなす部分を設けず袋状に形成されているが、靴下本体３２は、必ずしもこの形態に限定されない。
【００１４】
［第三の実施形態］
図１０〜図１２は、第三の実施形態の飾り留具付靴下の一例を示す図であり、図１０は正面図、図１１は側面図、図１２は裏面図である。
図１０及び図１２に示すように、本実施形態の飾り留具付靴下３０は、雌雄のホック３１ａ，３１ｂの何れか一方を飾り留具３１としたものである。
本実施形態における飾り留具３１は、ゴム編み部分３３の表面に固定される第一部材３１ａ１と、ゴム編み部分３３の裏面に固定される第二部材３１ａ２と、からなる雄のホック３１ａで、第一部材３１ａ１と第二部材３１ａ２とで靴下本体３２のゴム編み部分３３を挟持し、第一部材３１ａ１と第二部材３１ａ２との間に圧力を加えて相互に係合させ、靴下本体３２に圧着して固定する。
ここで、本実施形態の飾り留具３１は、１個の雄のホック３１ａで構成されているが、必ずしも雄のホック３１ａである必要はなく、雌のホック３１ｂであってもよい。また、固定される雌雄のホック３１ａ，３１ｂの数は、１個に限定する必要はなく、複数個であってもよい。さらに、雌雄のホック３１ａ，３１ｂは、一対の部材相互で布地を挟持し、圧着して固定する、いわゆるスナップボタンを用いているが、雌雄のホック３１ａ，３１ｂが単一の部材で構成され、雌雄のホック３１ａ，３１ｂの何れか一方を靴下本体３２のゴム編み部分３３の表面に糸で縫着し又は接着剤で接着して固定する、いわゆるスナップを用いてもよい。なお、雌雄のホック３１ａ，３１ｂは、第一の実施形態における小リングのように金属製のものであっても、プラスチック製のものであってもよい。また、靴下本体２は、足形をなす部分を設けず袋状に形成されているが、靴下本体３２は、必ずしもこの形態に限定されない。
【００１５】
図１３及び図１４は、第三の実施形態の飾り留具付靴下に係着する装飾具の例を示す図であり、図１３は装飾具の表面を示し、図１４は、装飾具の裏面を示す。また、図１５は、第三の実施形態の飾り留具付靴下に装飾具を固装した例を示す図である。
図１３及び図１４に示すように、装飾具３７は、第一部材３１ｂ１と第二部材３１ｂ２とからなる１個の雌のホック３１ｂを圧着した布地、皮、若しくは合成樹脂にファー３７ａを接着剤で張り付けたものである。
なお、この雌のホック３１ｂは、靴下本体３２に固定された雄のホック３１ａと係合するものが用いられる。
ここで、本実施形態では、装飾具３７として、ファー３７ａを用いているが、装飾具３７は、ファー３７ａに限定する必要はなく、例えばキャラクタグッズであっても、造花であっても、雄雌のホック３１ａ，３１ｂを何らかの方法で固定できるものであればよい。
【００１６】
図１５に示すように、本実施形態の飾り留具付靴下３０は、装飾具３７の裏面の雌のホック３１ｂを、靴下本体３２の雄のホック３１ａに係合させることにより装飾具３７を靴下本体３２に簡単に装着し、雌雄のホック３１ａ，３１ｂの係合を解除することにより靴下本体３２から装飾具３７を簡単に取り外すことができる。
【産業上の利用可能性】
【００１７】
個性を主張したい若者等における靴下の新たな需要を掘り起こすことができる。
【符号の説明】
【００１８】
１、２１、３１      飾り留具  
１ａ                小リング  
２、２２、３２      靴下本体    
３、２３、３３      ゴム編み部分    
５，２５、３５      メリヤス編み部分
６                  帯状部材    
７、３７                装飾具
７ａ                装飾体
７ｂ                鎖
７ｂ１              第一部品
７ｂ２              第二部品
８                  フック
８ａ                円形掛止部
８ｂ                環状部
１０、２０、３０    飾り留具付靴下
２１ａ              紐リング  
３１ａ              雄のホック
３１ｂ              雌のホック
３１ａ１、３１ｂ１  第一部材
３１ｂ２、３１ｂ２  第二部材
３７ａ              ファー
【図１】
0003174296.tif 000003
【図２】
0003174296.tif 000004
【図３】
0003174296.tif 000005
【図４】
0003174296.tif 000006
【図５】
0003174296.tif 000007
【図６】
0003174296.tif 000008
【図７】
0003174296.tif 000009
【図８】
0003174296.tif 000010
【図９】
0003174296.tif 000011
【図１０】
0003174296.tif 000012
【図１１】
0003174296.tif 000013
【図１２】
0003174296.tif 000014
【図１３】
0003174296.tif 000015
【図１４】
0003174296.tif 000016
【図１５】
0003174296.tif 000017
【手続補正書】
【提出日】平成24年1月7日(2012.1.7)
【手続補正１】
【補正対象書類名】実用新案登録請求の範囲
【補正対象項目名】請求項６
【補正方法】変更
【補正の内容】
【請求項６】
前記飾り留具は、前記靴下本体のゴム編み部分の周囲に固設されることを特徴とする請求項１から５のうちの何れか１項記載の飾り留具付靴下。
【手続補正２】
【補正対象書類名】実用新案登録請求の範囲
【補正対象項目名】請求項７
【補正方法】変更
【補正の内容】
【請求項７】
前記飾り留具は、前記靴下本体のメリヤス編み部分の周囲に固設されることを特徴とする請求項１から５のうちの何れか１項記載の飾り留具付靴下。